(57)【要約】      （修正有）【課題】大型の表示パネルの振動を防止すると共に、表示パネルを容易に組み付け可能なケースを有する表示装置を提供する。【解決手段】表示パネル１と、表示パネル１を支持するケース体と、を備え、ケース体は、表示パネル１の一辺１２に係合する第一の保持部８２と、一辺１２と対向する対向辺１３に係合する弾性を有する第二の保持部８３と、を有する表示装置において、ケース体は、対向辺１３に表示パネル１を一辺１２側に押圧する弾性を有する第三の保持部８４を有する。【選択図】図１
2020034668.tif 000002
【特許請求の範囲】
【請求項１】
表示パネルと、前記表示パネルを支持するケース体と、を備え、
前記ケース体は、前記表示パネルの一辺に係合する第一の保持部と、前記一辺と対向する対向辺に係合する弾性を有する第二の保持部と、を有する表示装置において、
前記対向辺に前記表示パネルを前記一辺側に押圧する弾性を有する第三の保持部を有することを特徴とする表示装置。
【請求項２】
前記表示パネルを制御する回路基板を有し、
前記表示パネルは、前記対向辺に前記回路基板と導通接続するための導電部を有し、
前記第三の保持部は、前記第二の保持部と前記導電部との間に位置することを特徴とする請求項１に記載の表示装置。
【請求項３】
前記第三の保持部の前記表示パネルと略平行する断面の断面積は、前記第二の保持部の前記表示パネルと略平行する断面の断面積よりも大きいことを特徴とする請求項１に記載の表示装置。
【請求項４】
前記表示パネルの前面に配設される保護板を有し、
前記保護板と前記第二の保持部との間に弾性を有する緩衝部材を有することを特徴とする請求項１に記載の表示装置。
【請求項５】
前記保護板と前記第三の保持部との間に前記緩衝部材を有することを特徴とする請求項４に記載の表示装置。
【発明の詳細な説明】
【技術分野】
【０００１】
本開示は、表示装置に関するものであり、特に、車両に搭載する表示装置に関するものである。
【背景技術】
【０００２】
従来の表示装置は、例えば特許文献１に開示されるものがある。略箱形に形成されたケースの前面側に表示パネルが固定される。表示パネルは、ともに無機ガラスからなる第一、第二の基板との間に液晶材を封入し、第一、第二の基板の外側にそれぞれ偏光板を貼り合せたものからなる。
【０００３】
ケースは、表示パネルを配設する開口部が設けられ、開口部の一辺には、ケース内に突き出る庇形状（フック形状）の第一の保持部が形成され、前記一辺と対向する対向辺には、庇形状（フック形状）の弾性を有する片持ち梁状の第二の保持部が形成される。開口部の内壁には、表示パネルが配設される受け部が設けられる。
【０００４】
表示パネルは、表示パネルの一辺が第一の保持部の下に滑り込むように挿入され、表示パネルの一辺に対向する対向辺が前記第二の保持部に係合固定され、ケースの所定位置に配設される。
【先行技術文献】
【特許文献】
【０００５】
【特許文献１】特開２００５−３３８６０１号公報
【発明の概要】
【発明が解決しようとする課題】
【０００６】
近年、車両用の表示装置に表示されるコンテンツが増加し、それに伴い表示パネルが大型化してきた。すると、表示パネルの重量が増大し、車両の振動などにより表示パネルが動こうとする力が増大する。そのため、第二の保持部の断面積を大きくするなどして、第二の保持部の剛性を高くする必要がある。しかしながら、第二の保持部の剛性を高くすると、第二の保持部が弾性変形し難くなり、表示パネルが組み付け難くなるといった問題点があった。
【０００７】
そこで本開示は、上記問題点に鑑みてなされたものであり、ケースは、大型の表示パネルの振動を防止すると共に、表示パネルを容易に組み付け可能とすることを目的とするものである。
【課題を解決するための手段】
【０００８】
本開示は、表示パネル１と、前記表示パネル１を支持するケース体８と、を備え、前記ケース体８は、前記表示パネル１の一辺１２に係合する第一の保持部８２と、前記一辺１２と対向する対向辺１３に係合する弾性を有する第二の保持部８３と、を有する表示装置において、前記ケース体８は、前記対向辺１３に前記表示パネル１を前記一辺１２側に押圧する弾性を有する第三の保持部８４を有する。
【発明の効果】
【０００９】
本開示によれば、所期の目的を達成することができ、大型の表示パネルの振動を防止すると共に、表示パネルを容易に組み付け可能なケースを有する表示装置を提供することができる。
【図面の簡単な説明】
【００１０】
【図１】本開示の表示装置の第１の実施形態を示す正面図（保護板を省く）。
【図２】図１中のＡ−Ａ線に沿った断面図。
【図３】図１中のＢ−Ｂ線に沿った断面図。
【図４】本開示のケースの要部斜視図。
【図５】本開示のケースの図４の反対方向から見た要部斜視図。
【図６】本開示の表示装置の第２の実施形態を示す正面図（保護板を省く）。
【発明を実施するための形態】
【００１１】
以下、図１乃至６に基づいて、本開示を適用した表示装置の実施形態を説明する。
【００１２】
以下の説明において、「前面側」は、図１における手前側、及び図２における左側（保護板３側）であり視認者（運転者）に視認される側を意味する。「背（後）面側」は、図１における奥側、及び図２における右側（回路基板７側）を意味する。
【００１３】
以下、本開示の表示装置の第１の実施形態を説明する。
図１乃至５に示すように、表示装置は、液晶表示パネル１（表示パネル）と、導光体２と、保護板３と、緩衝部材４と、金属ピン（導電部）５と、光源６と、回路基板７と、ケース体８と、から主に構成される。
【００１４】
液晶表示パネル１は、長方形の上下２枚のガラス基材で液晶材料を挟み込み封入し、その表裏に偏光板を貼り合わせたセグメント状の画素を有する垂直配向型のセグメントタイプの液晶パネルからなる。液晶表示パネル１は、表示部１１を有し、この表示部１１で前面側へ各種車両情報を表示する。液晶表示パネル１は、一辺の下側のガラス基材が突出した一辺側基部（一辺）１２と、一辺側基部１２に対向する辺の下側のガラス基材が突出した対向辺側基部１３と、を有する。対向辺側基部（対向辺）１３の中央には、複数の金属ピン５が装着される。
【００１５】
保護板３は、液晶表示パネル１の前面側に配置される。保護板３は、表示部１１に対向配置される透視部３１と、透視部３１の周りを覆う枠部３２と、を有する。透視部３１は、透明な板状の合成樹脂からなる。枠部３２は、黒色等の遮光性の合成樹脂からなる。
【００１６】
金属ピン５は、金属製の棒状部材からなる。金属ピン５は、前面側が略コの字状のクリップ形状に形成されたクリップ部５１を有する。クリップ部５１は、液晶表示パネル１の対向辺側基部１３の端面に装着され、接着剤９により対向辺側基部１３に接着固定される。金属ピン５は、背面側が回路基板７まで延びて回路基板７を貫通し、回路基板７に半田付される。金属ピン５は、複数個を有し、液晶表示パネル１と回路基板７とを電気的に接続（導通接続）し、回路基板７からの電気信号を液晶表示パネル１に導き、液晶表示パネル１の表示部１１に情報を表示させる。
【００１７】
導光体２は、透明な合成樹脂からなり、液晶表示パネル１の背後に配設される。導光体２は、光源６からの照明光を一端２１で受光し、内部で照明光を導光し、液晶表示パネル１の背面へ照明光を照射する。
【００１８】
ケース体８は、白色の合成樹脂材料からなり、直方体の略箱型形状に形成され、回路基板７の上に配置され、内部に液晶表示パネル１、導光体２を支持し、また、内部に光源６を収容し、前面側で保護板３に覆われる。ケース体８は、図示しないが、背面側に回路基板７との位置決めを行うための位置決め用ピンが突き出し形成され、回路基板７にはその位置決め用ピンが挿入される孔が設けられ、このようにして両者は嵌合している。
【００１９】
ケース体８は、液晶表示パネル１を配設する開口部８１が設けられ、開口部８１は、一辺側開口８１ａと、対向辺側開口８１ｂと、直交辺側開口８１ｃと、第一の保持部８２と、第二の保持部８３と、第三の保持部８４と、突起部８５と、を有する。
【００２０】
一辺側開口８１ａは、液晶表示パネル１の一辺側基部１２に対向する開口である。対向辺側開口８１ｂは、液晶表示パネル１の対向辺側基部１３に対向する開口である。直交辺側開口８１ｃは、一辺側基部１２及び対向辺側基部１３と直交する辺に対向する開口、即ち、一辺側開口８１ａ及び対向辺側開口８１ｂと直交する開口である。
【００２１】
第一の保持部８２は、一辺側開口８１ａに形成され、ケース体８内に突き出る庇形状（フック形状）に形成され、一辺側基部１２に係合する。第二の保持部８３は、対向辺側開口８１ｂに形成され、ケース体８内に突き出る庇形状（フック形状）に形成され、対向辺側基部１３に係合され、更に片持ち梁形状に形成され弾性を有する。第三の保持部８４は、対向辺側開口８１ｂに形成され、片持ち梁形状に形成され弾性を有し、対向辺側基部１３の端面と当接し、液晶表示パネル１を一辺側基部１２側に押圧する。
【００２２】
尚、第三の保持部８４は、対向辺側基部１３に係合されない。突起部８５は、直交辺側開口８１ｃに形成され、ケース体８内に突き出る突起形状に形成され、液晶表示パネル１の端面と僅かな隙間を有して形成される。
【００２３】
第二の保持部８３と第三の保持部８４は、対向辺側開口８１ｂにおいて、金属ピン５よりも外側（直交辺側開口８１ｃ側）に形成される。また、第三の保持部８４は、対向辺側開口８１ｂにおいて、第二の保持部８３と金属ピン５との間の位置に形成される。
【００２４】
接着剤９は、対向辺側基部１３において、第二の保持部８３の近辺には、塗布されないように管理されている。接着剤９は、対向辺側基部１３において、第三の保持部８４の近辺には、塗布されてもよいように管理されている。
【００２５】
第三の保持部８４は、液晶表示パネル１の面方向と略平行する断面の断面積が、第二の保持部８３の液晶表示パネル１の面方向と略平行する断面の断面積よりも大きく形成される。具体的には、第三の保持部８４の厚さＴ２と幅Ｗ２は、第二の保持部８３の厚さＴ１と幅Ｗ１よりもそれぞれ大きく形成される。これにより第三の保持部８４は、第二の保持部８３よりも弾性は低く、剛性は高い。
【００２６】
第二の保持部８３は、先端の液晶表示パネル１と対向する面の、対向辺側基部１３とは反対側の角部に傾斜面８３ａを有する。第三の保持部８４は、先端の液晶表示パネル１と対向する面の、対向辺側基部１３とは反対側の角部に傾斜面８４ａを有する。
【００２７】
保護板３と液晶表示パネル１の間には、弾性を有する緩衝部材４を有する。緩衝部材４は、枠部３２の背面側に複数個貼り付けられ、液晶表示パネル１との間に圧縮状態で保持される。緩衝部材４は、一部が第一の保持部８２と第二の保持部８３とに対向する位置にまで一体で形成され、これらと保護板３との間に圧縮状態で保持される。
【００２８】
光源６は、トップビュー型のＬＥＤ（Ｌｉｇｈｔ  Ｅｍｉｓｓｉｏｎ  Ｄｉｏｄｅ）からなるものであり、白色の照明光を発して導光体２の一端２１を照明する。光源６の光は、液晶表示パネル１の表示部１１を透過照明する。
【００２９】
回路基板７は、液晶表示パネル１の背面側に位置し、液晶表示パネル１を駆動するための駆動回路が設けられ、光源６及び制御手段や駆動源などの電子部品を実装し、各部品を接続する銅箔配線が印刷された硬質プリント基板を適用できる。また、回路基板７は、表示装置を包括する車両用計器の筐体内に収納されると共に、外部コネクタやケーブルを介して車載される外部ユニットと通信可能に接続されている。
【００３０】
また、回路基板７には、駆動回路の一部に金属ピン５の電極端子と等しい間隔の孔（スルーホール）７１が形成され、金属ピン５の先端の部分がこの孔に挿入され、半田付けされる。
【００３１】
このような構成の組立順序は、回路基板７の上にケース体８を組み付けた後、ケース体８に導光体２と、金属ピン５の接続された液晶表示パネル１とを順次セットし、最後に緩衝部材４の貼り付けられた保護板３を被せて表示装置となる。
【００３２】
尚、液晶表示パネル１は、一辺側基部１２が第一の保持部８２の下に滑り込むように挿入され、対向辺側基部１３が第二の保持部８３に係合固定されると共に、第三の保持部８４に押圧されて、ケース体８の所定位置に配設される。
【００３３】
このように形成されることで、第三の保持部８４により、従来よりも強く液晶表示パネル１を押圧できるので、液晶表示パネル１が大型である場合に振動の防止に有効である。
【００３４】
また、第三の保持部８４は、対向辺側基部１３に係合する庇形状が無いので、第二の保持部８３のように液晶表示パネル１の組み付け時に開き方向（対向辺側基部１３の反対方向）へ変形させられないので、（塑性）変形による押圧力の低下の心配が無く、容易に剛性を高くすることができる。
【００３５】
また、第三の保持部８４は、対向辺側基部１３に係合する庇形状が無いので、対向辺側基部１３に接着剤９がある場合でも、液晶表示パネル１を押圧することができるので、金属ピン５の近傍に配置する場合に有効である。
【００３６】
また、緩衝部材４は、第二の保持部８３と第三の保持部８４に当接し、その動きを規制することができるので、液晶表示パネル１の振動の防止に有効である。
【００３７】
また、第二の保持部８３ａ及び第三の保持部８４ａが緩衝部材４に喰い込むと、傾斜面８３ａと傾斜面８４ａにより、緩衝部材４が透視部３１の方向へ押される力が働くので、緩衝部材４が液晶表示パネル１から脱落することを防止し、緩衝部材４の保持力が向上する。同時に、緩衝部材４と、第二の保持部８３と第三の保持部８４との嵌合が強くなり、その動きを規制することができるので、液晶表示パネル１の振動の防止に有効である。
【００３８】
本開示の表示装置の第２の実施形態を図６に示す。
以下の第２の実施形態では、第１の実施形態と機能が共通する各部については第１の実施形態と同様の符号を付すと共に、第１の実施形態と異なる点を主に説明する。
【００３９】
第１の実施形態では、一辺側基部１２には金属ピン５が装着されていなかったが、第２の実施形態では、対向辺側基部１３と同様に一辺側基部１２にも金属ピン５が装着され、接着剤９が一辺側基部１２に塗布されている。
【００４０】
そして、一辺側開口８１ａには、第一の保持部８２が無く、対向辺側開口８１ｂと同様に第二の保持部８３と、第三の保持部８４と、を有する。対向辺側開口８１ｂの金属ピン５と第二の保持部８３と第三の保持部８４とは、第１の実施形態の位置関係と同様に配置されている。
【００４１】
このように形成されることで、一辺側基部１２と対向辺側基部１３の両方に金属ピン５が装着される場合であっても、第三の保持部８４により、従来よりも強く液晶表示パネル１を押圧できるので、液晶表示パネル１が大型である場合に振動の防止に有効である。
【００４２】
尚、本開示は前述した本実施形態に限定されるものでなく、本開示の要旨の範囲において、種々の変形が可能である。たとえば、前述した本実施形態においては、表示装置の表示手段である液晶表示パネル１は、有機ＥＬ（Ｅｌｅｃｔｒｏ  Ｌｕｍｉｎｅｓｃｅｎｃｅ）モジュールであってもよい。照明手段である光源６としてＬＥＤを用いていたが、他の照明手段であってもよい。
【００４３】
また、本実施形態に示す第二，第三の保持部８３，８４は、少なくとも弾性変形の起点となる第二，第三の保持部８３，８４の付け根箇所が細い／太いによって、表示パネル１の表示面方向への保持力（応力）を、それぞれ異なるように調整していたが、第二，第三の保持部の弾性変形の起点位置を異なるようにし、腕片の長さの違いによって該保持力を調整することもできる。
【００４４】
本開示は、車両用の表示装置に関し、例えば、自動車やオートバイ、あるいは農業機械や建設機械を備えた移動体に搭載される車両用の表示装置に適用することができる。
【符号の説明】
【００４５】
１  液晶表示パネル（表示パネル）
１２  一辺側基部（一辺）
１３  対向辺側基部（対向辺）
３  保護板
４  緩衝部材
５  導電部
７  回路基板
８  ケース体
８２  第一の保持部
８３  第二の保持部
８４  第三の保持部
【図１】
2020034668.tif 000003
【図２】
2020034668.tif 000004
【図３】
2020034668.tif 000005
【図４】
2020034668.tif 000006
【図５】
2020034668.tif 000007
【図６】
2020034668.tif 000008